【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
ディジタルの映像データ信号を出力する映像データ信号出力手段と、
上記映像データ信号に基づいて生成されるアナログ映像信号のペデスタルレベルを調整するペデスタルレベル調整データ信号を出力するペデスタルレベル調整データ信号出力手段と、
上記映像データ信号、および上記ペデスタルレベル調整データ信号に基づいて、所定のペデスタルレベルを有するアナログ映像信号を生成する映像信号生成手段と、
の組が、赤、緑、または青の映像に対応して３組設けられたペデスタルレベル制御回路であって、
上記ペデスタルレベル調整データ信号は、上記各色の映像に共通のブライト調整、および上記各色の映像ごとに独立したカットオフ調整を行うためのブライト・カットオフ調整データ信号であることを特徴とするペデスタルレベル制御回路。
【請求項２】
所定のペデスタルレベルを有する第１の映像信号における上記ペデスタルレベルを保持する保持手段と、
第２の映像信号のペデスタルレベルが、上記保持された第１の映像信号のペデスタルレベルに等しくなるように、上記第２の映像信号をクランプするクランプ手段と、
上記第１の映像信号、または上記クランプされた第２の映像信号を選択的に切り替えて出力する切り替え手段と、
を備えたことを特徴とするペデスタルレベル制御回路。
【請求項３】
請求項２のペデスタルレベル制御回路であって、
上記所定のペデスタルレベルを有する第１の映像信号は、ディジタルの映像データ信号、およびペデスタルレベル調整データ信号に基づいて生成された、所定のペデスタルレベルを有するアナログ映像信号であることを特徴とするペデスタルレベル制御回路。
【請求項４】
請求項２のペデスタルレベル制御回路であって、
上記保持手段、上記クランプ手段、および切り替え手段は、複数組設けられていることを特徴とするペデスタルレベル制御回路。
【請求項５】
請求項４のペデスタルレベル制御回路であって、
上記保持手段、上記クランプ手段、および切り替え手段は、それぞれ、赤、緑、または青の映像に対応して３組設けられていることを特徴とするペデスタルレベル制御回路。
【請求項６】
請求項２のペデスタルレベル制御回路であって、
上記クランプ手段、および切り替え手段は、複数組設けられ、
各上記クランプ手段は、１つの上記保持手段に保持されたペデスタルレベルに基づいてクランプ動作をするように構成されていることを特徴とするペデスタルレベル制御回路。
【請求項７】
請求項６のペデスタルレベル制御回路であって、
上記クランプ手段、および切り替え手段は、それぞれ、赤、緑、または青の映像に対応して３組設けられていることを特徴とするペデスタルレベル制御回路。
【請求項８】
ディジタルの映像データ信号と、上記映像データ信号に基づいて生成されるアナログ映像信号のペデスタルレベルを調整するペデスタルレベル調整データ信号とに基づいた、所定のペデスタルレベルを有する第１のアナログ映像信号、または上記ペデスタルレベル調整データ信号に基づいた所定のレベルのアナログ信号を選択的に生成するステップと、
上記第１のアナログ映像信号における上記所定のペデスタルレベル、または上記アナログ信号における上記所定のレベルを保持するステップと、
第２のアナログ映像信号のペデスタルレベルが、上記保持された所定のペデスタルレベルまたは所定のレベルに等しくなるように、上記第２のアナログ映像信号をクランプするステップと、
上記第１のアナログ映像信号、または上記クランプされた第２のアナログ映像信号を選択的に切り替えて出力する切り替えステップと、
を有することを特徴とするペデスタルレベル制御方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
【課題を解決するための手段】
前記の課題を解決するために、請求項１の発明が講じた解決手段は、
ディジタルの映像データ信号を出力する映像データ信号出力手段と、
上記映像データ信号に基づいて生成されるアナログ映像信号のペデスタルレベルを調整するペデスタルレベル調整データ信号を出力するペデスタルレベル調整データ信号出力手段と、
上記映像データ信号、および上記ペデスタルレベル調整データ信号に基づいて、所定のペデスタルレベルを有するアナログ映像信号を生成する映像信号生成手段と、
の組が、赤、緑、または青の映像に対応して３組設けられたペデスタルレベル制御回路であって、
上記ペデスタルレベル調整データ信号は、上記各色の映像に共通のブライト調整、および上記各色の映像ごとに独立したカットオフ調整を行うためのブライト・カットオフ調整データ信号であることを特徴とする。
【手続補正１０】
【補正対象書類名】明細書
【補正対象項目名】００２１
【補正方法】変更
【補正の内容】
【００２１】
また、請求項２の発明は、
ペデスタルレベル制御回路であって、
所定のペデスタルレベルを有する第１の映像信号における上記ペデスタルレベルを保持する保持手段と、
第２の映像信号のペデスタルレベルが、上記保持された第１の映像信号のペデスタルレベルに等しくなるように、上記第２の映像信号をクランプするクランプ手段と、
上記第１の映像信号、または上記クランプされた第２の映像信号を選択的に切り替えて出力する切り替え手段と、
を備えたことを特徴とする。
【手続補正１１】
【補正対象書類名】明細書
【補正対象項目名】００２３
【補正方法】変更
【補正の内容】
【００２３】
また、請求項３の発明は、
請求項２のペデスタルレベル制御回路であって、
上記所定のペデスタルレベルを有する第１の映像信号は、ディジタルの映像データ信号、およびペデスタルレベル調整データ信号に基づいて生成された、所定のペデスタルレベルを有するアナログ映像信号であることを特徴とする。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
また、請求項４の発明は、
請求項２のペデスタルレベル制御回路であって、
上記保持手段、上記クランプ手段、および切り替え手段は、複数組設けられていることを特徴とする。
【手続補正１５】
【補正対象書類名】明細書
【補正対象項目名】００２８
【補正方法】変更
【補正の内容】
【００２８】
また、請求項５の発明は、
請求項４のペデスタルレベル制御回路であって、
上記保持手段、上記クランプ手段、および切り替え手段は、それぞれ、赤、緑、または青の映像に対応して３組設けられていることを特徴とする。
【手続補正１６】
【補正対象書類名】明細書
【補正対象項目名】００３０
【補正方法】変更
【補正の内容】
【００３０】
また、請求項６の発明は、
請求項２のペデスタルレベル制御回路であって、
上記クランプ手段、および切り替え手段は、複数組設けられ、
各上記クランプ手段は、１つの上記保持手段に保持されたペデスタルレベルに基づいてクランプ動作をするように構成されていることを特徴とする。
【手続補正１７】
【補正対象書類名】明細書
【補正対象項目名】００３１
【補正方法】変更
【補正の内容】
【００３１】
また、請求項７の発明は、
請求項６のペデスタルレベル制御回路であって、
上記クランプ手段、および切り替え手段は、それぞれ、赤、緑、または青の映像に対応して３組設けられていることを特徴とする。
【手続補正１８】
【補正対象書類名】明細書
【補正対象項目名】００３３
【補正方法】変更
【補正の内容】
【００３３】
また、請求項８の発明は、
ペデスタルレベル制御方法であって、
ディジタルの映像データ信号と、上記映像データ信号に基づいて生成されるアナログ映像信号のペデスタルレベルを調整するペデスタルレベル調整データ信号とに基づいた、所定のペデスタルレベルを有する第１のアナログ映像信号、または上記ペデスタルレベル調整データ信号に基づいた所定のレベルのアナログ信号を選択的に生成するステップと、
上記第１のアナログ映像信号における上記所定のペデスタルレベル、または上記アナログ信号における上記所定のレベルを保持するステップと、
第２のアナログ映像信号のペデスタルレベルが、上記保持された所定のペデスタルレベルまたは所定のレベルに等しくなるように、上記第２のアナログ映像信号をクランプするステップと、
上記第１のアナログ映像信号、または上記クランプされた第２のアナログ映像信号を選択的に切り替えて出力する切り替えステップと、
を有することを特徴とする。
【手続補正１９】
【補正対象書類名】明細書
【補正対象項目名】００３４
【補正方法】変更
【補正の内容】
【００３４】
上記のように、ディジタル信号の段階や、これをＤ／Ａ変換等した段階で、所定のペデスタルレベルを有する第１のアナログ映像信号を生成することにより、クランプ回路などを用いることなく、ブライト調整などのペデスタルレベルの調整をすることができる。また、上記第１のアナログ映像信号のペデスタルレベルに基づいて第２のアナログ映像信号がクランプされるので、ペデスタルレベル調整信号などの制御信号を用いることなく、第２のアナログ映像信号のペデスタルレベルを調整することができる。また、上記所定のレベルのアナログ信号が選択される場合には、そのアナログ信号はペデスタルレベル調整データ信号に応じた一定のレベルの信号となるので、第１、第２のアナログ映像信号が非同期の場合でも、第２の映像信号に応じたタイミングで、第１のアナログ映像信号のペデスタルレベルの保持、および第２のアナログ映像信号のクランプをすることができる。